(57)【特許請求の範囲】
【請求項１】
局内装置に複数の加入者装置が光分岐手段を介して接続されて構成されたシステムに用いられる局内装置であって、
前記加入者装置からの受光光量を測定する測定手段と、
前記加入者装置に光出力停止指示を送信する停止指示手段と、
前記停止指示手段により１つの加入者装置に停止指示を送信させ、他の加入者装置の受光光量を前記測定手段により測定させ、当該測定された受光光量が前記停止指示手段による停止指示送信前の受光光量より所定の閾値以上小さくなった場合、該停止指示を送信した加入者装置を故障装置と特定し、他の場合には該停止指示を送信した加入者装置を故障装置でないと判定する故障装置特定手段と、
を備えたことを特徴とする局内装置。
【請求項２】
前記測定手段により所定のタイミングで測定された受光光量の基準値を、該測定対象である前記加入者装置の特定情報に関連付けて格納する基準値格納手段と、
前記加入者装置の受光光量を前記測定手段により測定させ、当該測定された受光光量を、該測定対象の加入者装置の特定情報に関連付けられて前記基準値格納手段に格納された基準値と比較し、該測定された受光光量が該格納された基準値よりも所定の閾値以上大きくなっている場合、常時発光故障の加入者装置が存在すると検出する故障検出手段と、
を備え、
前記故障装置特定手段は、前記故障検出手段により常時発光故障の加入者装置が存在すると検出された場合に故障装置の特定を行うことを特徴とする請求項１記載の局内装置。
【請求項３】
前記故障検出手段は、予め定められた周期により周期的に受光光量の測定を行うことを特徴とする請求項２記載の局内装置。
【請求項４】
前記特定情報は、規格に定められた手順により割り当てられる規格ＩＤとは別に設けられ、前記加入者装置のＭＡＣ（Media Access Control）アドレスに関連付けて割り当てられた固定ＩＤであることを特徴とする請求項２または３記載の局内装置。
【請求項５】
前記停止指示手段は、前記固定ＩＤを用いて前記光出力停止指示を送信し、
前記故障装置特定手段は、前記固定ＩＤを用いて故障装置の特定を行うことを特徴とする請求項４記載の局内装置。
【請求項６】
前記基準値は、前記加入者装置が設置される際に測定された初期値であることを特徴とする請求項２から５の何れか１項に記載の局内装置。
【請求項７】
規格に定められた手順により割り当てられる規格ＩＤと、ＭＡＣ（Media Access Control）アドレスに関連付けて割り当てられた固定ＩＤとの設定を受け、
測定用の信号送出要求を前記固定ＩＤにより受信した場合、所定の測定用パターンを送出するパターン送出手段を備えたことを特徴とする加入者装置。
【請求項８】
請求項１から６の何れか１項に記載の局内装置に、請求項７記載の加入者装置の複数が光分岐手段を介して接続されて構成されたことを特徴とする光通信システム。
【請求項９】
局内装置に複数の加入者装置が光分岐手段を介して接続されて構成されたシステムにおける故障装置特定方法であって、
１つの加入者装置に光出力の停止指示を送信し、他の加入者装置の受光光量を測定し、当該測定された受光光量が前記停止指示の送信前の受光光量より所定の閾値以上小さくなった場合、該停止指示を送信した加入者装置を故障装置と特定し、他の場合には該停止指示を送信した加入者装置を故障装置でないと判定する故障装置特定工程を備えたことを特徴とする故障装置特定方法。
【請求項１０】
所定のタイミングで測定された前記加入者装置からの受光光量の基準値を、該測定対象である前記加入者装置の特定情報に関連付けて格納する基準値格納工程と、
前記加入者装置の受光光量を測定し、当該測定された受光光量を、該測定対象の加入者装置の特定情報に関連付けられて前記基準値格納工程で格納された基準値と比較し、該測定された受光光量が該格納された基準値よりも所定の閾値以上大きくなっている場合、常時発光故障の加入者装置が存在すると検出する故障検出工程と、
を備え、
前記故障装置特定工程は、前記故障検出工程により常時発光故障の加入者装置が存在すると検出された場合に行われることを特徴とする請求項９記載の故障装置特定方法。
【請求項１１】
前記故障検出工程では、予め定められた周期により周期的に受光光量の測定を行うことを特徴とする請求項１０記載の故障装置特定方法。
【請求項１２】
前記特定情報は、規格に定められた手順により割り当てられる規格ＩＤとは別に設けられ、前記加入者装置のＭＡＣ（Media Access Control）アドレスに関連付けて割り当てられた固定ＩＤであることを特徴とする請求項１０または１１記載の故障装置特定方法。
【請求項１３】
前記故障装置特定工程では、前記固定ＩＤを用いて前記１つの加入者装置に光出力の停止指示を送信し、前記固定ＩＤを用いて故障装置の特定を行うことを特徴とする請求項１２記載の故障装置特定方法。
【請求項１４】
前記基準値は、前記加入者装置が設置される際に測定された初期値であることを特徴とする請求項１０から１３の何れか１項に記載の故障装置特定方法。
【請求項１５】
局内装置に複数の加入者装置が光分岐手段を介して接続されて構成されたシステムに用いられる局内装置のプログラムであって、
１つの加入者装置に光出力の停止指示を送信し、他の加入者装置の受光光量を測定し、当該測定された受光光量が前記停止指示の送信前の受光光量より所定の閾値以上小さくなった場合、該停止指示を送信した加入者装置を故障装置と特定し、他の場合には該停止指示を送信した加入者装置を故障装置でないと判定する故障装置特定手順を前記局内装置のコンピュータに実行させることを特徴とする局内装置のプログラム。
【請求項１６】
所定のタイミングで測定された前記加入者装置からの受光光量の基準値を、該測定対象である前記加入者装置の特定情報に関連付けて格納する基準値格納手順と、
前記加入者装置の受光光量を測定し、当該測定された受光光量を、該測定対象の加入者装置の特定情報に関連付けられて前記基準値格納手順で格納された基準値と比較し、該測定された受光光量が該格納された基準値よりも所定の閾値以上大きくなっている場合、常時発光故障の加入者装置が存在すると検出する故障検出手順と、
を前記局内装置のコンピュータに実行させ、
前記故障検出手順により常時発光故障の加入者装置が存在すると検出された場合に、前記故障装置特定手順を実行させることを特徴とする請求項１５記載の局内装置のプログラム。
【請求項１７】
前記故障検出手順では、予め定められた周期により周期的に受光光量の測定を行うことを特徴とする請求項１６記載の局内装置のプログラム。
【請求項１８】
前記特定情報は、規格に定められた手順により割り当てられる規格ＩＤとは別に設けられ、前記加入者装置のＭＡＣ（Media Access Control）アドレスに関連付けて割り当てられた固定ＩＤであることを特徴とする請求項１６または１７記載の局内装置のプログラム。
【請求項１９】
前記故障装置特定手順では、前記固定ＩＤを用いて前記１つの加入者装置に光出力の停止指示を送信し、前記固定ＩＤを用いて故障装置の特定を行うことを特徴とする請求項１８記載の局内装置のプログラム。
【請求項２０】
前記基準値は、前記加入者装置が設置される際に測定された初期値であることを特徴とする請求項１６から１９の何れか１項に記載の局内装置のプログラム。
【発明の詳細な説明】
【技術分野】
【０００１】
本発明は、例えばＰＯＮ（Passive Optical Network）システムなど、局内装置（ＯＬＴ；Optical Line Terminator）に、複数の加入者装置（ＯＮＵ；Optical Network Unit）が接続されて構成されるポイントツーマルチポイントの光通信システムに用いられる局内装置、加入者装置、光通信システム、故障装置特定方法、および装置のプログラムに関する。
【背景技術】
【０００２】
一般に、ＰＯＮシステムは、ＯＬＴに、Optical Splitterを介して複数のＯＮＵが接続されて構成される。
各ＯＮＵから出力される上り方向の光信号の波長には同一波長が使用されるため、ＯＬＴは、ＤＢＡ（Dynamic Bandwidth Allocation）スケジューラにより上り方向のトラヒックのスケジューリングを行い、各ＯＮＵへ送信許可を与える。このことにより、各ＯＮＵからの送信データが、複数のＯＮＵにより共有される光伝送路で衝突しないようにしている。
【０００３】
また、光通信システムで、アイドル時にＯＮＵから送信されるアイドルパターンの継続時間が規格に定められた規定値より長く、論理接続が１つだけ確立している場合に、その接続されているＯＮＵを異常と判定するものがある（例えば、特許文献１参照）。
【０００４】
また、光通信システムで、ＯＮＵからの定期レスポンスがなくなった場合、接続されたＯＮＵを２つのグループに分けてそれぞれに消光コマンドを送信し、今まで継続して受信されていた光信号が消滅する、または他のＯＮＵからの定期レスポンスが返信されることで、故障している１台のＯＮＵを特定するようにしたものがある（例えば、特許文献２参照）。
【先行技術文献】
【特許文献】
【０００５】
【特許文献１】特開２００８−２８４５１号公報
【特許文献２】特開２００４−１１２７４６号公報
【発明の概要】
【発明が解決しようとする課題】
【０００６】
しかしながら、同一光ファイバーに接続された複数のＯＮＵの中で、あるＯＮＵが故障により常に光を出力する状態（常時発光モード）におちいった場合、他のＯＮＵが送出する光信号と衝突するため、他のユーザへのサービスに影響を与え、最悪は他のユーザへのサービスが停止にいたるという問題が発生する。
【０００７】
こうした常時発光モードの故障ＯＮＵが発生した場合、その故障ＯＮＵを特定するためには、同一光ファイバーに接続された全ユーザ宅へ保守員を派遣し、センタ−側の保守員と連絡をとり、ＯＮＵの１台ずつについて電源を落としていくことにより、障害ＯＮＵを特定する作業が必要となっていた。
このため、故障装置特定までに時間がかかり、サービス復旧までに時間を要し、また保守員の現地派遣などによる保守費用がかかるという問題があった。
【０００８】
また、上述した特許文献１のものは、常時発光状態の故障ＯＮＵが１台だけの場合に特定しようとするものであり、常時発光状態の故障ＯＮＵが複数存在する場合についてまで考慮されたものではなかった。すなわち、常時発光状態の故障ＯＮＵが複数存在した場合、その故障ＯＮＵを含むすべてのＯＮＵのリンクが不安定な（リンクが確立しない）状態となるため、故障ＯＮＵを特定することが困難となっていた。
【０００９】
また、上述した特許文献２のものは、ＯＮＵが応答しないような故障モードを想定したものであり、例えばＯＮＵの信号処理部や光送信部の故障により、ＯＮＵは応答しているが常時発光モードとなる故障状態についてまで考慮されたものではなかった。
また、２つのグループに分けて消光コマンドを送信していくため、常時発光状態の故障ＯＮＵが複数存在し、両方のグループに存在する場合には故障ＯＮＵの特定ができない虞があった。
【００１０】
本発明はこのような状況に鑑みてなされたものであり、常時発光状態の故障装置が複数発生した場合であっても、自動的に故障装置を特定することができる局内装置、加入者装置、光通信システム、故障装置特定方法、および装置のプログラムを提供することを目的とする。
【課題を解決するための手段】
【００１１】
かかる目的を達成するために、本発明に係る局内装置は、局内装置に複数の加入者装置が光分岐手段を介して接続されて構成されたシステムに用いられる局内装置であって、上記加入者装置からの受光光量を測定する測定手段と、上記加入者装置に光出力停止指示を送信する停止指示手段と、上記停止指示手段により１つの加入者装置に停止指示を送信させ、他の加入者装置の受光光量を上記測定手段により測定させ、当該測定された受光光量が上記停止指示手段による停止指示送信前の受光光量より所定の閾値以上小さくなった場合、該停止指示を送信した加入者装置を故障装置と特定し、他の場合には該停止指示を送信した加入者装置を故障装置でないと判定する故障装置特定手段と、を備えたことを特徴とする。
【００１２】
また、本発明に係る加入者装置は、規格に定められた手順により割り当てられる規格ＩＤと、ＭＡＣ（Media Access Control）アドレスに関連付けて割り当てられた固定ＩＤとの設定を受け、測定用の信号送出要求を上記固定ＩＤにより受信した場合、所定の測定用パターンを送出するパターン送出手段を備えたことを特徴とする。
【００１３】
また、本発明に係る光通信システムは、上述した本発明に係る局内装置に、上述した本発明に係る加入者装置の複数が光分岐手段を介して接続されて構成されたことを特徴とする。
【００１４】
また、本発明に係る故障装置特定方法は、局内装置に複数の加入者装置が光分岐手段を介して接続されて構成されたシステムにおける故障装置特定方法であって、１つの加入者装置に光出力の停止指示を送信し、他の加入者装置の受光光量を測定し、当該測定された受光光量が上記停止指示の送信前の受光光量より所定の閾値以上小さくなった場合、該停止指示を送信した加入者装置を故障装置と特定し、他の場合には該停止指示を送信した加入者装置を故障装置でないと判定する故障装置特定工程を備えたことを特徴とする。
【００１５】
また、本発明に係る局内装置のプログラムは、局内装置に複数の加入者装置が光分岐手段を介して接続されて構成されたシステムに用いられる局内装置のプログラムであって、１つの加入者装置に光出力の停止指示を送信し、他の加入者装置の受光光量を測定し、当該測定された受光光量が上記停止指示の送信前の受光光量より所定の閾値以上小さくなった場合、該停止指示を送信した加入者装置を故障装置と特定し、他の場合には該停止指示を送信した加入者装置を故障装置でないと判定する故障装置特定手順を上記局内装置のコンピュータに実行させることを特徴とする。
【発明の効果】
【００１６】
以上のように、本発明によれば、常時発光状態の故障装置が複数発生した場合であっても、自動的に故障装置を特定することができる。
【図面の簡単な説明】
【００１７】
【図１】本発明の実施形態としてのＰＯＮシステムの構成例を示すブロック図である。
【図２】本実施形態としての動作を概略的に示すフローチャートである。
【図３】Discoveryプロセスを示すシーケンス図である。
【図４】Static LLIDの割り付け例を示す図である。
【図５】本実施形態による正常性確認動作を示すフローチャートである。
【図６】本実施形態による正常性確認を説明する図である。
【図７】本実施形態による常時発光ＯＮＵ特定動作を示すフローチャートである。
【図８】本実施形態による常時発光ＯＮＵ特定動作を説明する図である。
【図９】Static LLIDの割り付け具体例を示す図である。
【図１０】本実施形態による正常性確認での正常状態具体例を示す図である。
【図１１】本実施形態による正常性確認での故障発生状態具体例を示す図である。
【図１２】本実施形態による常時発光ＯＮＵ特定動作１の具体例を示す図である。
【図１３】本実施形態による常時発光ＯＮＵ特定動作２の具体例を示す図である。
【図１４】本実施形態による常時発光ＯＮＵ特定動作３の具体例を示す図である。
【図１５】本実施形態による常時発光ＯＮＵ特定動作４の具体例を示す図である。
【発明を実施するための形態】
【００１８】
次に、本発明に係る局内装置、加入者装置、光通信システム、故障装置特定方法、および装置のプログラムを、ＰＯＮシステムに適用した一実施形態について、図面を用いて詳細に説明する。
【００１９】
まず、本実施形態の概略について説明する。
本実施形態は、ＰＯＮシステムにおける局社側に設置されたＯＬＴ装置にて、規格に定められた処理（IEEE802.3ahで定義）で確立した論理的なリンクとは異なる予め固定的に割り付けられたリンクを使用することで、複数台のＯＮＵが同時に常時発行状態に陥った場合であっても、同一ＰＯＮ回線配下に接続された各ＯＮＵが光出力するタイミングで、各ＯＮＵの光出力パワーをモニタすることを可能とする。
【００２０】
本実施形態では、こうして測定された各ＯＮＵの光出力パワーを正常な状態時のパワーと比較することで、常時発光状態に陥った故障ＯＮＵを特定することを可能とする。また、故障を特定されたＯＮＵはＯＬＴより遠隔制御により停止させることでシステムより排除し、サービスの継続を可能とする。
【００２１】
次に、本実施形態としてのＰＯＮシステムの構成について、図１を参照して説明する。
本実施形態としてのＰＯＮシステムは、図１に示すように、センター側に設置されるＯＬＴ１０１が、１芯光ファイバなどによる光伝送路１０２、Optical Splitter１０３（光分岐手段）を介して、複数のＯＮＵ１０４を収容して構成される。
各ＯＮＵ１０４は、エンドユーザ端末１０５からの信号を光信号に変換してＯＬＴ１０１との間で送受信を行う。
【００２２】
次に、本実施形態による動作の概略について、図２のフローチャートを参照して説明する。
【００２３】
ＯＮＵ起動時には、IEEE802.3ahに規定されているDiscoveryプロセスが行われ、ＯＮＵ１０４とＯＬＴ１０１間でハンドシェークが行われ、起動したＯＮＵ１０４のＭＡＣアドレスに対してDynamic LLIDの割り付けが行われ、論理的なリンクが確立される。
【００２４】
このDiscoveryプロセスによって確立される論理的なリンクは、ＯＮＵの電源ＯＦＦ、光ファイバー断、外部からの障害（常時発光など）などにより、一度リンクが切断されると、再度、Discoveryプロセスにより論理的なリンクを確立する必要がある。このDiscoveryプロセスにより割り付けられるLLIDを、以降Dynamic LLID（規格ＩＤ）と呼ぶことにする。
【００２５】
また、本実施形態では、DiscoveryプロセスでのLLIDの割り付けとは別に、固定的なLLID（以下、Static LLID；固定ＩＤ）の割り付けを予め行う（ステップＳ１）。
【００２６】
ＯＬＴ１０１は、各ＯＮＵ１０４の設置の際に、そのＯＮＵから受信される受信信号における光出力パワー（受光光量）を初期値として測定する。ＯＬＴ１０１は、この光出力パワーの初期値を、そのＯＮＵ１０４における光出力パワーの基準値として、そのＯＮＵ１０４の特定情報（例えばＭＡＣアドレス、Static LLIDなど）に関連付けて格納する（ステップＳ２）。
【００２７】
ＯＬＴ１０１は、このStatic LLIDにより、各ＯＮＵ１０４に対して予め定められた周期毎に正常性確認動作を行う（ステップＳ３）。常時発光モードの故障ＯＮＵが存在すると検出された場合（ステップＳ４；Ｙｅｓ）、常時発光ＯＮＵの特定動作を行う（ステップＳ５）。
【００２８】
次に、本実施形態による各動作の詳細について、図面を参照して説明する。
【００２９】
＜１＞  DiscoveryプロセスによるLLID（Logical Link Identification）の割り当て
各ＯＮＵ１０４から出力される上り方向の光信号には、同一波長が使用されるため、本実施形態としてのＰＯＮシステムでは、各ＯＮＵから出力される上り方向の光信号の衝突を避けるために、次のような手順をとる。
【００３０】
ＯＮＵが起動すると、図３に示すように、IEEE802.3ahに規定されているDiscoveryプロセスが行われる。
【００３１】
まず、ＯＬＴ１０１は、ＯＮＵ１０４からのリンク登録要求を受け付けるため、Discovery Gateを送信する（ステップＳ１１）。ＯＮＵ１０４は、Discovery Gateを受信すると、リンク登録要求を送信する（ステップＳ１２）。
【００３２】
ＯＬＴ１０１は、リンク登録要求を受信すると、ＯＮＵのＭＡＣアドレスに割り付けるLLID（Dynamic LLID）を決定し、ＯＮＵ１０４に送信する（ステップＳ１３）。
【００３３】
ＯＮＵ１０４は、割り付けられたDynamic LLIDを認識し、装置内の記憶部（不図示）に保存する。
【００３４】
ＯＬＴ１０１は、割り付けたDynamic LLIDに対して送信許可信号を送信する（ステップＳ１４）。ＯＮＵ１０４は、割り付けられたDynamic LLIDを正常に認識し、保存したことをＯＬＴ１０１に通知する（ステップＳ１５）。
ＯＬＴ１０１は、ＯＮＵからの応答を受信し、論理的なリンクが確立される（ステップＳ１６）。
【００３５】
こうして論理的なリンクが確立されると、以降、ＯＮＵ１０４は、最大５０ｍｓ周期でリンクの正常性確認のためのフレーム（Report）を送信する（ステップＳ１７）。ＯＬＴ１０１は、１秒以上の間、Reportフレームの受信が無かった場合に、リンクを未確立状態とする。
【００３６】
＜２＞  固定的なLLIDの割り付け（図２ステップＳ１）
本実施形態では、図４に示すように、Discoveryプロセスで割り付けるDynamic LLIDとは別に、Static LLIDを予め割り付け、ＯＬＴ１０１及びＯＮＵ１０４に設定する。
【００３７】
ＯＬＴ１０１の配下に接続される各ＯＮＵのＭＡＣアドレスは通常分かっているため、このＭＡＣアドレスとStatic LLIDとを１対１に関連付け、そのマッピングをＯＮＵ１０４設置の際などに予め決めておく。このマッピングをＯＬＴ１０１及びＯＮＵ１０４に設定し、それぞれの記憶部（不図示）に記憶させておく。
【００３８】
＜３＞  LLID単位でのＤＢＡによるトラヒックのスケジューリング
ＯＬＴ１０１に実装されたＤＢＡスケジューラにより、ＯＬＴ１０１は、各LLID（Dynamic LLID、Static LLID）に対して発光許可時刻のスケジューリングを行い、決定した発光許可時刻を各ＯＮＵへ通知する。そして、各ＯＮＵ１０４は、ＯＬＴ１０１より通知された時刻に従い光出力を行う。
この発光許可時間の割り当てやスケジューリングでは、ＯＬＴ１０１が、公知のＤＢＡによるスケジューリングをDynamic LLID、Static LLIDそれぞれについて行う。Static LLIDに対しては、予め定められた時間毎に周期的に行うようスケジューリングする。
【００３９】
ここで、本実施形態では、Dynamic LLIDとStatic LLIDの使い分けとして、ユーザトラヒックに対しては、Dynamic LLIDを使用し、Static LLIDは常時発光ＯＮＵを検出するためのパワーモニタ用のLLIDとして使用することとする。
【００４０】
＜４＞  Static LLIDに対する光出力パワー測定による正常性確認（図２ステップＳ３）
本実施形態では、図５、図６に示すように、各ＯＮＵのStatic LLIDに対して周期的に光出力パワーを測定する（ステップＳ２１）。
【００４１】
光出力パワーの測定の際には、ＯＬＴが測定用の信号送出要求をStatic LLIDによりＯＮＵに送信し、そのStatic LLIDを割り付けられたＯＮＵが、所定の測定用パターンを送出する。ＯＬＴは、その測定用パターンに対して光出力パワーを測定し、そのＯＮＵの特定情報に関連付けて格納する。
【００４２】
こうして測定された各ＯＮＵ−ｉ（１０４−１，１０４−２，・・・，１０４−ｎ）についての測定値と、図２ステップＳ２で基準値としてＯＬＴに格納された光出力パワーの初期値とを、各ＯＮＵについて比較する（ステップＳ２２）。
【００４３】
この比較により、図６に例示するように、各ＯＮＵに対する測定結果が局設置時の初期値に対して変動がなければ（変動が所定の閾値未満であれば）正常と判定する（ステップＳ２３）。
一方、この測定結果との比較により、局設置時の初期値に比べて所定の閾値以上大きい値になっているＯＮＵが存在した場合、常時発光モードの故障ＯＮＵが存在すると判定する（ステップＳ２４）。
【００４４】
なお、＜４＞の正常性確認動作を行う光出力パワーの測定周期は、例えば１分に１回や１時間に１回など、予め設定された周期であれば任意の期間毎であってよい。このように、ユーザトラヒックの帯域（データ通信量）を圧迫しない程度に測定周期を設定することで、ユーザトラヒックに影響を与えないように本実施形態による正常性確認動作を行うことができる。
【００４５】
＜５＞  常時発光故障ＯＮＵの特定方法（図２ステップＳ５）
上述した＜４＞の正常性確認動作の結果、常時発光状態の故障ＯＮＵが存在することが判明した場合の故障ＯＮＵ特定動作について、図７を参照して説明する。
【００４６】
ＯＬＴは、まずＯＮＵ１（１０４−１）に対し光出力の停止制御を行う（ステップＳ３１）。この状態で図８に示すように、他の各ＯＮＵの光出力パワーを測定し、その測定値と、ＯＮＵ１の光出力停止制御を行う前の測定値とを比較する（ステップＳ３２）。
この光出力停止制御を行う前の測定値は、＜４＞の正常性確認動作による周期的な光出力パワー測定における直前の測定値を、測定対象のＯＮＵの特定情報に関連付けて記憶手段に格納して用いてもよく、ＯＮＵ設置の際に基準値として格納された初期値を用いてもよい。
【００４７】
こうしてステップＳ３２での比較を行うことにより、もしＯＮＵ１に光出力停止制御を行った状態での他のＯＮＵの測定値が、光出力停止制御を行う前の測定値によりも所定の閾値以上低いレベルになっていれば、ＯＮＵ１が常時発光状態のＯＮＵとして特定されることとなる（ステップＳ３４）。
【００４８】
ステップＳ３２での比較により、他の各ＯＮＵの測定値が、光出力停止制御を行う前の測定値に比べて変化していない（変化が所定の閾値未満である）場合、ＯＮＵ１は常時発光状態のＯＮＵでないと判定され、光出力停止制御を解除される（ステップＳ３３）。
以降同様の手順でＯＮＵ２（１０４−２）以降の各ＯＮＵ−ｉに対して、常時発光モードの故障状態であるかどうかを判別する。
【００４９】
また、ＯＬＴは、故障状態と特定されたＯＮＵを遠隔制御により停止させることでシステムより排除し、サービスの継続を可能とする。
【００５０】
通常、常時発光状態のＯＮＵが存在すると光信号の衝突により、光信号によるデータの送受信が困難となり、光出力停止制御や解除などの制御が不能となる虞があるが、本実施形態ではStatic LLIDを使用することで、それらの制御を可能としている。
【００５１】
次に、本実施形態としてのＰＯＮシステムによる常時発光ＯＮＵの特定動作について、図９〜図１５に示す具体例を用いて詳細に説明する。
この具体例では、ＯＬＴに４台のＯＮＵ（ＯＮＵ１、ＯＮＵ２、ＯＮＵ３、ＯＮＵ４）が接続されており、ＯＮＵ１とＯＮＵ４とが常時発光モードの故障になっていることとして説明する。
【００５２】
ＯＮＵ１、ＯＮＵ２、ＯＮＵ３、ＯＮＵ４それぞれには、図９に例示するように、予めStatic LLIDがＭＡＣアドレスに関連付けられて割り当てられ、ＯＬＴおよびＯＮＵそれぞれの記憶部に記憶される。
【００５３】
ＯＬＴは、図１０に示すように、各ＯＮＵ設置の際に光出力パワーを測定し、各Static LLIDに対する光出力パワーの基準値を確定させる。図１０の例では、ＯＮＵ１＝０．５ｍＷ、ＯＮＵ２＝１．０ｍＷ、ＯＮＵ３＝０．３ｍＷ、ＯＮＵ４＝０．１ｍＷとしている。
以降、上述した正常性確認動作を周期的に行う際、各Static LLIDに対する光出力パワーがこの基準値であれば、常時発光状態のＯＮＵは存在しないことになる。
【００５４】
ここで、ある時点より、ＯＮＵ１とＯＮＵ４が常時発光状態に陥り、各Static LLIDに対する光出力パワーが図１１のように変わったとする。
この場合、ＯＬＴは、周期的な正常性確認動作の際に、基準値よりも常時発光ＯＮＵの光出力パワー分上乗せされた値が測定されるＯＮＵが存在することにより、常時発光モードの故障ＯＮＵが発生したことを検出する。
【００５５】
常時発光ＯＮＵの存在が検出されると、ＯＬＴは常時発光ＯＮＵの検出動作に移行する。まず、ＯＬＴは、ＯＮＵ１の光出力を強制停止させ、他のStatic LLIDに対する光出力パワーを測定する。測定の結果、図１２のように、ＯＮＵ１を強制停止させる前よりも他のＯＮＵの測定値が下がったことにより、ＯＮＵ１が常時発光故障であると特定できる。この場合、ＯＬＴは、ＯＮＵ１に対して光出力を強制停止させたままとすることで、システム運用から排除する。
【００５６】
次に、ＯＬＴは、ＯＮＵ２の光出力を強制停止させ、他のStatic LLIDに対する光出力パワーを測定する。測定の結果、図１３のように、他のＯＮＵの測定値がＯＮＵ２を強制停止させる前と変わらないことにより、ＯＮＵ２が正常なＯＮＵであると特定できる。この場合、ＯＬＴは、ＯＮＵ２に対して光出力の強制停止を解除する指示を送信する。
【００５７】
次に、ＯＬＴは、ＯＮＵ３の光出力を強制停止させ、他のStatic LLIDに対する光出力パワーを測定する。測定の結果、図１４のように、他のＯＮＵの測定値がＯＮＵ３を強制停止させる前と変わらないことにより、ＯＮＵ３が正常なＯＮＵであると特定できる。この場合、ＯＬＴは、ＯＮＵ３に対して光出力の強制停止を解除する指示を送信する。
【００５８】
次に、ＯＬＴは、ＯＮＵ４の光出力を強制停止させ、他のStatic LLIDに対する光出力パワーを測定する。測定の結果、図１５のように、ＯＮＵ４を強制停止させる前よりも他のＯＮＵの測定値が下がったことにより、ＯＮＵ４が常時発光故障であると特定できる。この場合、ＯＬＴは、ＯＮＵ４に対して光出力を強制停止させたままとすることで、システム運用から排除する。
【００５９】
以上のようにして、ＯＬＴは、ＯＮＵ１とＯＮＵ４が常時発光モードの故障であると特定できる。また、故障装置と特定されたＯＮＵをＯＬＴより遠隔制御で停止させることにより、システムより排除でき、サービスを継続させることができる。
【００６０】
以上のように、上述した本実施形態としての常時発光障害の自動検出方式によれば、以下の効果が得られる。
【００６１】
同一ＰＯＮ回線配下において複数台の常時発光状態の故障ＯＮＵが発生した場合であっても、ＯＮＵを１台ずつ光出力停止させてチェックするため、故障ＯＮＵを自動的に特定することができる。
【００６２】
また、故障ＯＮＵを特定した後、ＯＬＴより遠隔で光出力停止の制御を行うことができる。
【００６３】
また、常時発光状態の故障ＯＮＵを特定するために、同一ファイバーに接続された全ユーザ宅へ保守員を派遣し、センタ−側の保守員と連絡をとり、１台ずつ電源を落とすことにより故障ＯＮＵを特定するといった手間が不要となる。このため、こうした手間による保守費用を抑えることができる。
【００６４】
また、故障ＯＮＵを特定するための時間を短縮できるため、サービス停止時間を短縮することができる。
【００６５】
なお、上述した各実施形態は本発明の好適な実施形態であり、本発明はこれに限定されることなく、本発明の技術的思想に基づいて種々変形して実施することが可能である。
【００６６】
例えば、上述した実施形態としてのＯＬＴを実現するための処理手順をプログラムとして記録媒体に記録することにより、本発明の実施形態による上述した各機能を、その記録媒体から供給されるプログラムによって、装置を構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばフレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリーカード、ＲＯＭ等を用いてよい。
【００６７】
この本発明に係るプログラムによれば、当該プログラムによって制御されるＯＬＴに、上述した実施形態における各機能を実現させることができる。
【符号の説明】
【００６８】
１０１    ＯＬＴ（局内装置）
１０２    光伝送路
１０３    Optical Splitter（光分岐手段）
１０４    ＯＮＵ（加入者装置）
【図１】
0005397115.tif 000002
【図２】
0005397115.tif 000003
【図３】
0005397115.tif 000004
【図４】
0005397115.tif 000005
【図５】
0005397115.tif 000006
【図６】
0005397115.tif 000007
【図７】
0005397115.tif 000008
【図８】
0005397115.tif 000009
【図９】
0005397115.tif 000010
【図１０】
0005397115.tif 000011
【図１１】
0005397115.tif 000012
【図１２】
0005397115.tif 000013
【図１３】
0005397115.tif 000014
【図１４】
0005397115.tif 000015
【図１５】
0005397115.tif 000016